(57)【要約】【課題】      ベ−ルが釣糸放出位置にある時にはロ−タが容易に回転しないようにした魚釣用スピニングリ−ルを提供することである。【解決手段】  リ−ル本体１の前部１ａに形成された反転カム１ｂ位置より後側に円盤状からなる当接部１ｃが形成されて当接部１ｃの外周に凸部ａと凹部ｂからなる凹凸部１ｄが形成されている。  反転板４には弾性支持板７が添設されて反転板４と一体で回動するように構成され、弾性支持板７はステンレス鋼やリン青銅等のバネ性を有する板状のプレス材等で形成されて折曲部７ａにゴムなどの弾性部材からなる当接体８が取り付けられて当接体８には当接部８ａが形成されて当接部８ａはベ−ル２１が釣糸放出位置に反転された時に凹凸部１ｄに当接係合される。【選択図】        図７
2010004814.tif 000002
【特許請求の範囲】
【請求項１】
ハンドル操作に連動回転するロ−タの支持ア−ムの前部に、ベ−ル及び釣糸案内部を有するベ−ル支持部材を釣糸巻取り位置と釣糸放出位置とに反転可能に振り分け保持すると共に、釣糸放出操作に連動して移動する移動部材と、該移動部材と当接する当接部をリ−ル本体に設け、前記ロ−タの回転に制動力を付与したスピニングリ−ルにおいて、前記当接部に凹凸部を形成したことを特徴とする魚釣用スピニングリ−ル。
【請求項２】
凹凸部が弾性部材の表面に形成されることを特徴とする請求項１記載の魚釣用スピニングリ−ル。
【発明の詳細な説明】
【技術分野】
【０００１】
本発明は、ハンドルの巻き取り回転操作に伴って連動回転するロ−タ−に、ベ−ル及び釣糸案内部を有するベ−ル支持部材を釣糸巻き取り状態と釣糸放出状態に反転自在に支持した魚釣用スピニングリ−ルに関する。
【背景技術】
【０００２】
魚釣用スピニングリ−ルは一般的に、ロ−タ−の支持ア−ム前部に設けたベ−ル支持部材を、釣糸巻き取り位置から釣糸放出位置へ回転可能に支持し、釣糸放出操作時には、ベ−ル支持部材を釣糸巻き取り位置から釣糸放出位置へ起こして釣糸を放出後、ベ−ル支持部材を元の釣糸巻き取り位置に戻し、ハンドルの回転操作で釣糸案内部を介してスプ−ルに釣糸を巻回する構成となっている。
ベ−ル支持部材を、釣糸巻き取り位置から釣糸放出位置へ起こしての仕掛けの投擲に際し、釣竿スイング時の勢いで、不意にロ−タが回転して、ロ−タ回転によるベ−ル自動反転復帰機構を装備しているスピニングリ−ルの場合、ベ−ルが釣糸巻き取り位置に誤復帰して、急激に仕掛けの放出が止まってしまうことになり、糸切れが発生する問題があった。
又、ベ−ルを起こした時に不必要にロ−タが回転してしまうと、キャスティング操作時、指によって糸をピックアップしにくくなる。
更に釣糸放出時の指によるサミング操作がしにくくなる。
更に又、放出操作時にロ−タが誤回転すると、振動、異音等が発生して不快感を与える。
そこで、この様な放出操作時のロ−タの不要な回転によって生じる不具合を防止する手段として、ベ−ルの釣糸放出操作に連動して後方にスライドする移動部材を、リ−ル本体の前部に装着した弾性部材に当接させて、ロ−タ回転に制動力を付与するものが、特許文献１で提案されている。
【特許文献１】特開２００２−５１６７５号公報
【発明の開示】
【発明が解決しようとする課題】
【０００３】
解決しようとする問題点は、特許文献１で開示されている技術は、制動力発生面は、ロ−タ回転方向に平滑な面で形成されている為、一定の制動力を発生することを狙った構成となっているが、より効果を上げる為、制動力を増やす為には、当接量を増やさなければならず、その反力により、ベ−ルが所定の位置まで起きなかったり、起こしずらくなり、逆にベ−ル振り落ちし易くなる傾向にある。
又、制動力は摩擦力のみによるため、リ−ルを水没させたり、波しぶきを被って制動面が濡れてしまったり、劣化や摩耗すると、制動力が落ちて振り落ちし易くなる等の問題が発生する。
【０００４】
本発明の目的は前記欠点に鑑み、ベ−ルが釣糸放出位置にある時にはロ−タが容易に回転しないようにした魚釣用スピニングリ−ルを提供することである。
【課題を解決するための手段】
【０００５】
本発明の請求項１は、ハンドル操作に連動回転するロ−タの支持ア−ムの前部に、ベ−ル及び釣糸案内部を有するベ−ル支持部材を釣糸巻き取り位置と釣糸放出位置とに反転可能に振り分け保持すると共に、釣糸放出操作に連動して移動する移動部材と、該移動部材と当接する当接部をリ−ル本体に設け、前記ロ−タの回転に制動力を付与したスピニングリ−ルにおいて、前記当接部に凹凸部を形成したことを要旨とするものである。
本発明の請求項２は、凹凸部が弾性部材の表面に形成されることを要旨とするものである。
【発明の効果】
【０００６】
本発明の請求項１によれば、ベ−ルとベ−ル支持部材が起こされた２点鎖線の釣糸放出位置で不意にロ−タが回転されようとしても、当接部が凸部を乗り越えない限り回転することができず、当接部が凹凸部を乗り越える節度力が発生し、ロ−タの回転に抵抗を加える制動力を向上させ、安定出来る。
又、水没等で制動面が濡れても、凹凸で当接部が凹凸部を乗り越える力を押え、安定して制動力を得る事が出来る。
ベ−ルとベ−ル支持部材が２点鎖線の釣糸放出位置から実線の釣糸巻き取り位置に移動しないと、キャスティング動作の衝撃でベ−ルが釣糸巻き取り位置に反転しないので糸切れが起こらない。
本発明の請求項２によれば、ベ−ルとベ−ル支持部材が２点鎖線の釣糸放出位置に反転された時に反転板と一体に回動される弾性支持板の当接部が弾性部材の凹凸部に当接係合されて摩擦制動力に節度力が加わることにより、より安定した状態でロ−タ回転を制動出来る。
【発明を実施するための最良の形態】
【０００７】
ベ−ル２１と一対のベ−ル支持部材１６、１７を実線の釣糸巻き取り位置から２点鎖線の釣糸放出位置方向に反転及び復帰する構成は、一方のベ−ル支持部材１６に取り付けられた移動部材Ａとリ−ル本体１の前部１ａに形成された反転カム１ｂとト−ションバネ２２で構成されている。
移動部材Ａはベ−ル支持ア−ム２ｃ内に設けられた作動杆３と反転板４と、作動杆３を回転可能に保持する保持部５と、反転板４を一方向に回動付勢する発条６で構成されている。
保持部５は断面逆凸字形に形成されて凸部５ａがベ−ル支持ア−ム２ｃ内の孔２ｅに回転自在に挿入されている。
作動杆３の一端３ａは一方のベ−ル支持部材１６の透孔に嵌挿され、他端３ｂはベ−ル支持ア−ム２ｃ内の後方に延設され、他端３ｂより前側が保持部５の溝５ｂ内に前後に移動自在に嵌挿されている。
他端３ｂには反転板４が臨まされている。
反転板４はベ−ル支持ア−ム２ｃ内の後側に設けられたロ−タ２の中心方向に向かう縦孔２ｆの壁面にビス２３で回動自在に取り付けられて発条６で図６で反時計方向に付勢されている。
反転板４は上部に他端３ｂに当接係合する凸部４ａと下方に反転カム１ｂに衝接される衝接部４ｂが形成されている。
リ−ル本体１の前部１ａに形成された反転カム１ｂ位置より後側に円盤状からなる当接部１ｃが形成されて当接部１ｃの外周に、複数の凸部ａと凹部ｂからなる凹凸部１ｄが周方向に形成されている。
凹凸部１ｄは、当接部１ｃの外周の全周に形成する必要は無く、少なくとも、ベ−ル操作時の放出操作時に反転操作する為に必要な部分に形成されれば良い。
反転板４には弾性支持板７が添設されて反転板４と一体で回動するように構成されている。
弾性支持板７はステンレス鋼やリン青銅等のバネ性を有する板状のプレス材等で形成されて折曲部７ａにゴムなどの弾性部材からなる当接体８が取り付けられて当接体８には当接部８ａが形成されている。
当接部８ａはベ−ル２１が釣糸放出位置に反転された時に凹凸部１ｄに当接係合される。
【実施例１】
【０００８】
以下、図示の実施例によって本発明を説明すると、図１から図７は第１実施例で、図１はロ−タが断面で示された魚釣用スピニングリ−ルの要部断面側面図、図２はロ−タ部分の拡大断面側面図、図３は一方のベ−ル支持ア−ムのカバ−の一部が破截された側面図、図４は他方のベ−ル支持ア−ムのカバ−の一部が破截された側面図、図５は釣糸巻き取り状態の一方のベ−ル支持ア−ムのカバ−の一部が破截された側面図と要部拡大側面図、図６は釣糸巻き取り状態のリ−ル本体の前部の断面背面図とロ−タの要部断面背面図とその要部拡大断面背面図、図７は釣糸放出状態のリ−ル本体の前部の断面背面図とロ−タの要部断面背面図とその要部拡大断面背面図である。
【０００９】
図１から図４で魚釣用スピニングリ−ルは、リ−ル本体１の前部１ａから前側に突出した駆動筒軸１０の外周に歯車１１が回り止め嵌合され、その前側にロ−タ２の軸筒部２ａが回り止め嵌合されてナット１２で固定されている。
ロ−タ２は駆動筒軸１０に設けられた図示しないピニオンと噛合する駆動歯車を介してハンドル１３の回転に連動して回転されるように支持されている。
前記駆動筒軸１０内に嵌合されて突出されたスプ−ル軸１４の先端部にスプ−ル１５が支持され、スプ−ル１５はハンドル１３の回転に連動して前後に往復動される。
ロ−タ２には大径の筒部２ｂと筒部２ｂの後側から外側に突出されると共に前側に突出された一対のベ−ル支持ア−ム２ｃ、２ｄが形成されて一対のベ−ル支持ア−ム２ｃ、２ｄの外周側に夫々一対のベ−ル支持部材１６、１７がネジ軸１８、１９で回動自在に取り付けられている。
【００１０】
一方のベ−ル支持部材１６には釣糸案内部２０が取り付けられると共に、他方のベ−ル支持部材１７と釣糸案内部２０の間にベ−ル２１が取り付けられている。
他方のベ−ル支持部材１７の軸部の外側にはト−ションバネ２２が巻回されている。
ト−ションバネ２２の一端はベ−ル支持ア−ム２ｄに、他端は他方のベ−ル支持部材１７に夫々係止され、ベ−ル２１は２点鎖線の釣糸放出位置から実線の釣糸巻き取り位置方向に付勢されている。
【００１１】
ベ−ル２１と一対のベ−ル支持部材１６、１７を実線の釣糸巻き取り位置から２点鎖線の釣糸放出位置方向に反転及び復帰する構成は、一方のベ−ル支持部材１６に取り付けられた移動部材Ａとリ−ル本体１の前部１ａに形成された反転カム１ｂと前記ト−ションバネ２２で構成されている。
移動部材Ａはベ−ル支持ア−ム２ｃ内に設けられた作動杆３と反転板４と、作動杆３を回転可能に保持する保持部５と、反転板４を一方向に回動付勢する発条６で構成されている。
保持部５は断面逆凸字形に形成されて凸部５ａがベ−ル支持ア−ム２ｃ内の孔２ｅに回転自在に挿入されている。
作動杆３の一端３ａは一方のベ−ル支持部材１６の透孔１６ａに嵌挿され、他端３ｂはベ−ル支持ア−ム２ｃ内の後方に延設され、他端３ｂより前側が保持部５の溝５ｂ内に前後に移動自在に嵌挿されている。
他端３ｂには反転板４が臨まされている。
反転板４はベ−ル支持ア−ム２ｃ内の後側に設けられたロ−タ２の中心方向に向かう縦孔２ｆの壁面にビス２３で回動自在に取り付けられて発条６で図６で反時計方向に付勢されている。
反転板４は上部に他端３ｂに当接係合する凸部４ａと下方に反転カム１ｂに衝接される衝接部４ｂが形成されている。
【００１２】
リ−ル本体１の前部１ａに形成された反転カム１ｂ位置より後側に円盤状からなる当接部１ｃが形成されて当接部１ｃの外周に、複数の凸部ａと凹部ｂからなる凹凸部１ｄが周方向に形成されている。
ロ−タ２に設けた反転板４には、弾性支持板７が添設されて反転板４と一体で回動するように構成されている。
弾性支持板７は、ステンレス鋼やリン青銅等のバネ性を有する板状のプレス材等で形成されて折曲部７ａにゴムなどの弾性部材からなる当接体８が取り付けられて当接体８には当接部８ａが形成されている。
当接部８ａは、ベ−ル２１が釣糸放出位置に反転された時に凹凸部１ｄに当接係合される。
【００１３】
ベ−ル２１とベ−ル支持部材１６、１７が実線の釣糸巻き取り位置にある時には、作動杆３は図５のように他端３ｂはベ−ル支持ア−ム２ｃ内の後方左側にあって反転板４は図６のように反時計方向に回動位置されて衝接部４ｂは反転カム１ｂから離間されている。
同じく弾性支持板７と当接体８も反時計方向に回動位置されて当接部８ａは凹凸部１ｄから離間されている。
【００１４】
ベ−ル２１とベ−ル支持部材１６、１７が起こされて図３、図４の２点鎖線の釣糸放出位置に反転されると、図３のように作動杆３の他端３ｂがベ−ル支持ア−ム２ｃ内の後方右側にあって反転板４は図７のように時計方向に回動位置されて衝接部４ｂは反転カム１ｂに衝接される位置に移動されている。
同時に弾性支持板７と当接体８も時計方向に回動位置されて当接部８ａが凹凸部１ｄに当接される。
当接体８の当接部８ａが凹凸部１ｄに当接された状態では、不意にロ−タ２が回転されようとしても、当接部８ａが凸部ａを乗り越えない限り回転することができない。
尚、弾性支持板７の弾性力又は当接体８の弾性摩擦力を越えた時に、凸部ａを乗り越えてロ−タ２は回転する。
【００１５】
ベ−ル２１とベ−ル支持部材１６、１７が図３、図４の実線の釣糸巻き取り位置に復帰される時は、ハンドル１３が回転されてロ−タ２が回転されると、反転カム１ｂに衝接部４ｂが衝接されて反転板４が反時計方向に回動されて作動杆３が保持部５位置を中心に回動されてベ−ル支持部材１６とベ−ル支持部材１７とベ−ル２１が反転復帰される。
この反転復帰で反転板４が反時計方向に回動されるので当接部８ａと凹凸部１ｄの当接は離間されてロ−タ２がスム−ズに回転される。
【００１６】
前記のように魚釣用スピニングリ−ルが構成されると、ベ−ル２１とベ−ル支持部材１６、１７が起こされた２点鎖線の釣糸放出位置で不意にロ−タ２が回転されようとしても、当接部８ａが凸部ａを乗り越えない限り回転することができず、当接部８ａが凹凸部１ｄを乗り越える節度力が発生し、ロ−タ２の回転に抵抗を加える制動力を向上させ、安定出来る。
又、水没等で制動面が濡れても、凹凸で当接部８ａが凹凸部１ｄを乗り越える力を押え、安定して制動力を得る事が出来る。
ロ−タ２の不必要な回転が確実に防止できるので、ロ−タ回転によるベ−ル自動反転復帰機構を装備しているスピニングリ−ルにおいては釣糸放出操作で、ベ−ル２１が釣糸巻き取り位置に反転しないので糸切れが起こらない。
【実施例２】
【００１７】
図８、図９は第２実施例で、図８は釣糸巻き取り状態のリ−ル本体の前部の要部拡大断面背面図とロ−タの要部拡大断面背面図、図９は釣糸放出状態のリ−ル本体の前部の要部拡大断面背面図とロ−タの要部拡大断面背面図である。
【００１８】
第２実施例では、リ−ル本体１の前部１ａに形成された反転カム１ｂ位置より後側に円盤状からなる当接部１ｃが形成されて、当接部１ｃの外周にゴムからなる環状の弾性部材９が嵌められて固定されている。
弾性部材９の外周の表面の当接部に、凸部ａと凹部ｂからなる凹凸部９ａが形成されている。
ロ−タ２に設けた反転板４には、弾性支持板７が添設されて反転板４と一体で回動するように構成されている。
弾性支持板７は、ステンレス鋼やリン青銅等のバネ性を有する板状のプレス材等で形成されて当接部７ｂが形成されている。
当接部７ｂは、ベ−ル２１が釣糸放出位置に反転された時に凹凸部９ａに当接係合される。
他の構成は前記第１実施例と略同一である。
【００１９】
ベ−ル２１とベ−ル支持部材１６、１７が２点鎖線の釣糸放出位置に反転された時に、反転板４と一体に回動される弾性支持板７の当接部７ｂが弾性部材９の凹凸部９ａに当接係合されて摩擦制動力に節度力が加わることにより、より安定した状態でロ−タ回転を制動出来る。
【産業上の利用可能性】
【００２０】
本発明は、前述した実施形態に限定されることなく、釣糸放出操作に連動し、リ−ル本体の当接部の凹凸部に当接係合する移動部材は、前述の回転式に代えて従来技術の特許文献１で開示されているような前後スライド式であっても良く、その要旨を逸脱しない範囲で種々変形実施できることは言うまでもない。
【図面の簡単な説明】
【００２１】
【図１】第１実施例で、ロ−タが断面で示された魚釣用スピニングリ−ルの要部断面側面図である。
【図２】同ロ−タ部分の拡大断面側面図である。
【図３】同一方のベ−ル支持ア−ムのカバ−の一部が破截された側面図である。
【図４】同他方のベ−ル支持ア−ムのカバ−の一部が破截された側面図である。
【図５】同釣糸巻き取り状態の一方のベ−ル支持ア−ムのカバ−の一部が破截された側面図と要部拡大側面図である。
【図６】同釣糸巻き取り状態のリ−ル本体の前部の断面背面図とロ−タの要部断面背面図とその要部拡大断面背面図である。
【図７】同釣糸放出状態のリ−ル本体の前部の断面背面図とロ−タの要部断面背面図とその要部拡大断面背面図である。
【図８】第２実施例で、釣糸巻き取り状態のリ−ル本体の前部の要部拡大断面背面図とロ−タの要部拡大断面背面図である。
【図９】同釣糸放出状態のリ−ル本体の前部の要部拡大断面背面図とロ−タの要部拡大断面背面図である。
【符号の説明】
【００２２】
１  リ−ル本体
１ｃ、７ｂ  当接部
１ｄ、９ａ  凹凸部
２  ロ−タ
２ｃ、２ｄ  ベ−ル支持ア−ム
１３  ハンドル
１６、１７  ベ−ル支持部材
２０  釣糸案内部
２１  ベ−ル
Ａ  移動部材
【図１】
2010004814.tif 000003
【図２】
2010004814.tif 000004
【図３】
2010004814.tif 000005
【図４】
2010004814.tif 000006
【図５】
2010004814.tif 000007
【図６】
2010004814.tif 000008
【図７】
2010004814.tif 000009
【図８】
2010004814.tif 000010
【図９】
2010004814.tif 000011